(57)【要約】【課題】映像表示装置において、音声信号入力用の端子の数を実質的に増やして、パソコンとコンポジット映像信号の出力機器とに同時に接続する。【解決手段】Ｃｂ／Ｌ端子及びＣｒ／Ｒ端子から入力された信号の経路を切り替える映像音声切替ＳＷを設けて、Ｙ／ＣＶＢＳ端子にカラーバースト信号を含む信号が入力されたときに（Ｓ１でＹＥＳ）、コンポーネント映像信号入力用のＣｂ／Ｌ端子及びＣｒ／Ｒ端子から入力された信号を音声信号処理回路に送るように、信号の経路を切替えるようにした。これにより、コンポジット映像信号の入力時に、映像信号の入力に使用されていない、コンポーネント映像信号入力用のＣｂ／Ｌ端子とＣｒ／Ｒ端子とを、音声信号入力用の端子として使用することができる（Ｓ２）ので、音声信号入力用の端子の数を実質的に増やして、ＴＶ受像機を、パソコンとコンポジット映像信号の出力機器とに同時に接続することができる。【選択図】図３
2012114741.tif 000002
【特許請求の範囲】
【請求項１】
コンポジット映像信号入力用のＣＶＢＳ端子と、
コンポーネント映像信号に含まれる輝度信号入力用のＹ端子と、
コンポーネント映像信号に含まれる青の色差信号入力用のＣｂ端子と、
コンポーネント映像信号に含まれる赤の色差信号入力用のＣｒ端子と、
パソコンからの映像信号入力用のパソコン映像信号入力端子と、
前記ＣＶＢＳ端子、前記Ｙ端子、前記Ｃｂ端子、前記Ｃｒ端子、及び前記パソコン映像信号入力端子から入力された映像信号を処理する映像信号処理手段と、
右の音声信号入力用のＲ端子と、
左の音声信号入力用のＬ端子と、
前記Ｒ端子及びＬ端子から入力された音声信号を処理する音声信号処理手段と、
前記映像信号処理手段により処理された後の映像信号に基づく映像を表示する表示手段と、
前記音声信号処理手段により処理された後の音声信号に基づく音声を出力する音声出力手段とを備えた映像表示装置において、
前記ＣＶＢＳ端子にコンポジット映像信号が入力されたことを検知するコンポジット映像信号検知手段と、
前記Ｃｂ端子及び前記Ｃｒ端子から入力された信号の経路を切り替える切替手段と、
前記コンポジット映像信号検知手段により、コンポジット映像信号が入力されたことが検知されたときに、前記切替手段により、前記Ｃｂ端子及び前記Ｃｒ端子から入力された信号を前記音声信号処理手段に送るように、前記信号の経路を切替え、前記コンポジット映像信号検知手段により、コンポジット映像信号が入力されたことが検知されなくなったときに、前記切替手段により、前記Ｃｂ端子及び前記Ｃｒ端子から入力された信号を前記映像信号処理手段に送るように、前記信号の経路を切替える切替制御手段とを備えることを特徴とする映像表示装置。
【請求項２】
前記コンポジット映像信号検知手段は、前記ＣＶＢＳ端子にカラーバースト信号を含む信号が入力されたときに、コンポジット映像信号が入力されたと検知することを特徴とする請求項１に記載の映像表示装置。
【請求項３】
前記ＣＶＢＳ端子と前記Ｙ端子とを一つの端子にまとめてＹ／ＣＶＢＳ端子とし、
前記コンポジット映像信号検知手段は、前記Ｙ／ＣＶＢＳ端子にカラーバースト信号を含む信号が入力されたときに、コンポジット映像信号が入力されたと検知することを特徴とする請求項２に記載の映像表示装置。
【請求項４】
前記切替制御手段は、前記コンポジット映像信号検知手段により、コンポジット映像信号が入力されたことが検知されたときに、前記切替手段により、前記Ｃｂ端子及び前記Ｃｒ端子のうちの一方の端子から入力された信号を、右の音声信号として前記音声信号処理手段に送るように制御し、他方の端子から入力された信号を、左の音声信号として前記音声信号処理手段に送るように制御することを特徴とする請求項１乃至請求項３のいずれか一項に記載の映像表示装置。
【発明の詳細な説明】
【技術分野】
【０００１】
本発明は、コンポジット映像信号とコンポーネント映像信号とを含む複数の種類の映像信号に基づいて、映像を表示することが可能な映像表示装置に関する。
【背景技術】
【０００２】
従来から、テレビジョン受像機（以下、ＴＶ受像機という）等の映像表示装置には、コンポジット映像信号入力用のＣＶＢＳ（Ｃｏｌｏｒ  Ｖｉｄｅｏ，Ｂｌａｎｋ，ａｎｄ  Ｓｙｎｃ）端子、コンポーネント映像信号入力用のＹ端子、Ｃｂ端子、Ｃｒ端子、パソコンからの映像信号入力用の端子（例えばＶＧＡ（Ｖｉｄｅｏ  Ｇｒａｐｈｉｃｓ  Ａｒｒａｙ）端子やＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）端子）に加えて、音声信号入力用のＲ端子、Ｌ端子が設けられていることが多い。
【０００３】
ところが、従来の映像表示装置は、上記のように、複数の種類の映像信号入力用の端子を有しているにも拘らず、音声信号入力用の端子としては、Ｒ端子とＬ端子しか有していなかった。このため、複数の種類の映像信号入力用の端子に、それぞれの種類の映像信号の出力機器を同時に接続することはできても、これらの出力機器からの音声信号を入力するには、音声信号入力用の端子の数が不足する。
【０００４】
例えば、図５に示されるように、ＴＶ受像機１０１（映像表示装置）を既にＹ／ＣＶＢＳ端子１０１ｃ（Ｙ端子とＣＶＢＳ端子とを一つにまとめた端子）を用いてＤＶＤプレーヤ１０３と接続している場合には、ＴＶ受像機１０１のＬ端子１０１ｆ、Ｒ端子１０１ｇが、既に上記のＤＶＤプレーヤ１０３からの音声の入力に使用されている。このため、上記のＤＶＤプレーヤ１０３との接続状態を維持したままで、ＴＶ受像機１０１をパソコン１０２にも接続しようと思っても、図５に示されるように、パソコン１０２との間を映像信号入力用のＶＧＡ端子１０１ｂを用いて接続したり、或いは（パソコンがＤＶＩ（Ｄｉｇｉｔａｌ  Ｖｉｓｕａｌ  Ｉｎｔｅｒｆａｃｅ）端子を有している場合には、）パソコン側の映像信号出力用のＤＶＩ端子とＴＶ受像機１０１側のＨＤＭＩ端子１ａとを接続して映像信号を入力することはできるが、パソコン１０２からの音声信号入力用の端子が不足する。従って、パソコン１０２からの音声信号を入力するためには、ＤＶＤプレーヤ１０３からの音声の入力に使用していたＴＶ受像機側のＬ端子１０１ｆ、Ｒ端子１０１ｇを、パソコン１０２からの音声信号入力に使用する（ＤＶＤプレーヤ側のＬ端子１０３ｂ、Ｒ端子１０３ｃとＴＶ受像機側のＬ端子１０１ｆ、Ｒ端子１０１ｇとの間を結んでいた２本のケーブル１０５、１０６を、ＤＶＤプレーヤ側のＬ端子１０３ｂ、Ｒ端子１０３ｃから抜いて、パソコン側のＬ端子１０２ｂ、Ｒ端子１０２ｃと接続する）必要がある。すなわち、上記従来のＴＶ受像機１０１（映像表示装置）は、ＤＶＤプレーヤ１０３（コンポジット映像信号を出力する機器）とパソコン１０２とに同時に接続することができなかった。
【０００５】
ところで、この種の映像表示装置の分野において、コンポジット映像信号入力時に使用する音声信号入力用の端子と、コンポーネント映像信号入力時に使用する音声信号入力用の端子とを一つの端子にまとめて、音声信号の入力端子数を少なくするようにしたものが知られている（特許文献１参照）。しかしながら、特許文献１に記載の発明では、音声信号入力用の端子の数を実質的に増やすことができないので、映像表示装置を、パソコンとコンポジット映像信号の出力機器とに同時に接続することができない。
【０００６】
また、映像表示装置の分野において、接続される外部機器の種類に応じて、入出力共用端子を入力用又は出力用に切り替えるようにしたＴＶ受像機が知られている（例えば、特許文献２参照）。さらにまた、ビデオテープレコーダの入出力端子回路の分野において、使用者の選択に応じて、入出力共用端子を入力用又は出力用に切り替えるようにしたものが知られている（例えば、特許文献３参照）。しかしながら、これらの発明では、音声信号用の端子の数を実質的に増やすことができないので、映像表示装置を、パソコンとコンポジット映像信号の出力機器とに同時に接続することができない。
【先行技術文献】
【特許文献】
【０００７】
【特許文献１】特開２００７−６１５０号公報
【特許文献２】特開２００１−８６４１６号公報
【特許文献３】実開平７−４４８８４号公報
【発明の概要】
【発明が解決しようとする課題】
【０００８】
本発明は、上記課題を解決するものであり、音声信号入力用の端子の数を実質的に増やして、パソコンとコンポジット映像信号の出力機器とに同時に接続することが可能な映像表示装置を提供することを目的とする。
【課題を解決するための手段】
【０００９】
上記課題を解決するために、請求項1の発明は、コンポジット映像信号入力用のＣＶＢＳ端子と、コンポーネント映像信号に含まれる輝度信号入力用のＹ端子と、コンポーネント映像信号に含まれる青の色差信号入力用のＣｂ端子と、コンポーネント映像信号に含まれる赤の色差信号入力用のＣｒ端子と、パソコンからの映像信号入力用のパソコン映像信号入力端子と、前記ＣＶＢＳ端子、前記Ｙ端子、前記Ｃｂ端子、前記Ｃｒ端子、及び前記パソコン映像信号入力端子から入力された映像信号を処理する映像信号処理手段と、右の音声信号入力用のＲ端子と、左の音声信号入力用のＬ端子と、前記Ｒ端子及びＬ端子から入力された音声信号を処理する音声信号処理手段と、前記映像信号処理手段により処理された後の映像信号に基づく映像を表示する表示手段と、前記音声信号処理手段により処理された後の音声信号に基づく音声を出力する音声出力手段とを備えた映像表示装置において、前記ＣＶＢＳ端子にコンポジット映像信号が入力されたことを検知するコンポジット映像信号検知手段と、前記Ｃｂ端子及び前記Ｃｒ端子から入力された信号の経路を切り替える切替手段と、前記コンポジット映像信号検知手段により、コンポジット映像信号が入力されたことが検知されたときに、前記切替手段により、前記Ｃｂ端子及び前記Ｃｒ端子から入力された信号を前記音声信号処理手段に送るように、前記信号の経路を切替え、前記コンポジット映像信号検知手段により、コンポジット映像信号が入力されたことが検知されなくなったときに、前記切替手段により、前記Ｃｂ端子及び前記Ｃｒ端子から入力された信号を前記映像信号処理手段に送るように、前記信号の経路を切替える切替制御手段とを備えるものである。
【００１０】
請求項２の発明は、請求項１に記載の映像表示装置において、前記コンポジット映像信号検知手段は、前記ＣＶＢＳ端子にカラーバースト信号を含む信号が入力されたときに、コンポジット映像信号が入力されたと検知するものである。
【００１１】
請求項３の発明は、請求項２に記載の映像表示装置において、前記ＣＶＢＳ端子と前記Ｙ端子とを一つの端子にまとめてＹ／ＣＶＢＳ端子とし、前記コンポジット映像信号検知手段は、前記Ｙ／ＣＶＢＳ端子にカラーバースト信号を含む信号が入力されたときに、コンポジット映像信号が入力されたと検知するものである。
【発明の効果】
【００１２】
請求項１の発明によれば、Ｃｂ端子及びＣｒ端子から入力された信号の経路を切り替える切替手段を設けて、コンポジット映像信号が入力されたことが検知されたときに、コンポーネント映像信号入力用のＣｂ端子及びＣｒ端子から入力された信号を音声信号処理手段に送るように、信号の経路を切替えるようにした。これにより、コンポジット映像信号の入力時に、映像信号の入力に使用されていない、コンポーネント映像信号入力用のＣｂ端子とＣｒ端子とを、音声信号入力用の端子として使用することができるので、音声信号入力用の端子の数を実質的に増やして、映像表示装置を、パソコンとコンポジット映像信号の出力機器とに同時に接続することができる。
【００１３】
請求項２の発明によれば、コンポジット映像信号に必ず含まれるカラーバースト信号に基づいて、ＣＶＢＳ端子へのコンポジット映像信号の入力を検知するようにしたので、コンポジット映像信号の入力を正確に検知することができる。
【００１４】
請求項３の発明によれば、Ｙ／ＣＶＢＳ端子にカラーバースト信号を含む信号が入力されたときに、コンポジット映像信号が入力されたと検知するようにしたので、ＣＶＢＳ端子とＹ端子とを一つの端子にまとめたＹ／ＣＶＢＳ端子を用いたにも拘らず、このＹ／ＣＶＢＳ端子へのコンポジット映像信号の入力を正確に検知することができる。また、ＣＶＢＳ端子とＹ端子とを別個に設けた場合と比べて、映像信号入力用の端子の数を減らすことができる。
【００１５】
請求項４の発明によれば、上記に記載の効果を的確に得ることができる。
【図面の簡単な説明】
【００１６】
【図１】本発明の一実施形態に係るＴＶ受像機を含むＡＶシステムにおける配線図。
【図２】同ＴＶ受像機の電気的ブロック構成図。
【図３】同ＴＶ受像機における信号の経路の切替処理のフローチャート。
【図４】同ＴＶ受像機におけるコンポジット映像信号の入力検知に用いられるカラーバースト信号を示す図。
【図５】従来のＴＶ受像機を含むＡＶシステムにおける配線の例を示す図。
【発明を実施するための形態】
【００１７】
以下、本発明の一実施形態について、図面を参照して説明する。以下の実施形態では、本発明を液晶テレビジョン受像機に適用した場合の例について説明する。なお、以下に記載した実施形態は、本発明を網羅するものではなく、本発明は、下記の形態だけに限定されない。
【００１８】
図１は、本実施形態による映像表示装置である液晶テレビジョン受像機（以下、ＴＶ受像機という）を含むＡＶ（Ａｕｄｉｏ  ａｎｄ  Ｖｉｓｕａｌ）システムを示す。このＡＶシステム１０は、ＴＶ受像機１と、パーソナル・コンピュータ（以下、パソコンと略す）２と、コンポジット映像信号の出力機器であるＤＶＤ（Digital Versatile Disc）プレーヤ３とから構成されている。
【００１９】
図に示されるように、ＴＶ受像機１は、ＨＤＭＩ信号入力用のＨＤＭＩ端子１ａと、パソコン２からのアナログＲＧＢコンポーネント映像信号入力用のＶＧＡ（Ｖｉｄｅｏ  Ｇｒａｐｈｉｃｓ  Ａｒｒａｙ）端子１ｂ（請求項におけるパソコン映像信号入力端子）と、Ｙ／ＣＶＢＳ端子（コンポーネント映像信号に含まれる輝度信号入力用のＹ端子とコンポジット映像信号入力用のＣＶＢＳ端子とを一つにまとめた端子）１ｃと、Ｃｂ／Ｌ端子（コンポーネント映像信号に含まれる青の色差信号入力用のＣｂ端子と左の音声信号入力用のＬ端子とを一つにまとめた端子）１ｄ（請求項におけるＣｂ端子）と、Ｃｒ／Ｒ端子（コンポーネント映像信号に含まれる赤の色差信号入力用のＣｒ端子と右の音声信号入力用のＲ端子とを一つにまとめた端子）１ｅ（請求項におけるＣｒ端子）と、左の音声信号入力用のＬ端子１ｆと、右の音声信号入力用のＲ端子１ｇとを有している。詳細については後述するが、本ＴＶ受像機１は、上記のＣｂ／Ｌ端子１ｄ及びＣｒ／Ｒ端子１ｅを、左右の音声信号入力用の端子として用いることにより、音声信号入力用の端子の数を実質的に増やして、パソコン２とコンポジット映像信号の出力機器であるＤＶＤプレーヤ３とに同時に接続することができる。
【００２０】
ＴＶ受像機１は、ケーブル４、ケーブル５、及びケーブル６によってパソコン２と接続されている。ＴＶ受像機１は、パソコン２側のＶＧＡ端子２ａとケーブル４とＶＧＡ端子１ｂとを介して、パソコン２からの映像信号を受信し、パソコン２側のＬ端子２ｂとケーブル５とＬ端子１ｆとを介して、パソコン２からの左の音声信号を受信し、パソコン２側のＲ端子２ｃとケーブル６とＲ端子１ｇとを介して、パソコン２からの右の音声信号を受信する。なお、図に示されるパソコン２は、ＤＶＩ（Ｄｉｇｉｔａｌ  Ｖｉｓｕａｌ  Ｉｎｔｅｒｆａｃｅ）端子を有していないが、パソコン側がＤＶＩ端子を有している場合には、パソコン側の映像信号出力用のＤＶＩ端子とＴＶ受像機１側のＨＤＭＩ端子１ａとをケーブルを介して接続することにより、ＴＶ受像機１は、パソコンから映像信号に基づく（映像信号を符号化した）ＨＤＭＩ信号を受信することができる。
【００２１】
また、ＴＶ受像機１は、ケーブル７、ケーブル８、及びケーブル９によってＤＶＤプレーヤ３と接続されている。ＴＶ受像機１は、ＤＶＤプレーヤ３側のＣＶＢＳ端子３ａとケーブル７とＹ／ＣＶＢＳ端子１ｃとを介して、ＤＶＤプレーヤ３からのコンポジット映像信号を受信し、ＤＶＤプレーヤ３側のＬ端子３ｂとケーブル８とＣｂ／Ｌ端子１ｄとを介して、ＤＶＤプレーヤ３からの左の音声信号を受信し、ＤＶＤプレーヤ３側のＲ端子３ｃとケーブル９とＣｒ／Ｒ端子１ｅとを介して、ＤＶＤプレーヤ３からの右の音声信号を受信する。
【００２２】
図２は、ＴＶ受像機１の概略の内部構成を示す。ＴＶ受像機１は、装置全体の制御を行うＣＰＵ１１（コンポジット映像信号検知手段及び切替制御手段）と、チューナ１２と、映像信号処理回路１３（映像信号処理手段）と、電極駆動回路１４と、液晶表示パネル１５（表示手段）と、音声信号処理回路１６（音声信号処理手段）と、スピーカ１８（音声出力手段）と、映像音声切替スイッチ（以下、映像音声切替ＳＷという）１９（切替手段）と、ＨＤＭＩレシーバ２０とを備えている。ＣＰＵ１１には、Ｙ／ＣＶＢＳ端子１ｃから入力された信号が分岐して入力されるようになっており、ＣＰＵ１１は、この信号に基づいて、Ｙ／ＣＶＢＳ端子１ｃにコンポジット映像信号が入力されたことを検知する。
【００２３】
チューナ１２は、アンテナ３１とアンテナ端子１ｈとを介して受信した放送信号に基づく映像信号と音声信号とを、それぞれ映像信号処理回路１３と音声信号処理回路１６とに出力する。映像信号処理回路１３は、チューナ１２から入力された映像信号、ＶＧＡ端子１ｂ、Ｙ／ＣＶＢＳ端子１ｃ、Ｃｂ／Ｌ端子１ｄ、Ｃｒ／Ｒ端子１ｅを介して入力されたコンポジット映像信号、コンポーネント映像信号等のアナログ映像信号をＡ／Ｄ変換して得たディジタル形式の映像信号、及びＨＤＭＩレシーバ２０から入力されたディジタル形式の映像信号に対して各種の映像信号処理を行って、電極駆動回路１４に送る。電極駆動回路１４は、映像信号処理回路１３から受信した映像信号に基づいて、表示用電極を駆動することにより、液晶表示パネル１５に映像信号に基づく映像を表示する。
【００２４】
音声信号処理回路１６は、チューナ１２から入力された音声信号、映像音声切替ＳＷ１９を介して入力されたアナログ音声信号、Ｌ端子１ｆ及びＲ端子１ｇを介して入力されたアナログ音声信号、及びＨＤＭＩレシーバ２０から入力されたディジタル形式の音声信号に対して、各種の音声信号処理やＤ／Ａ変換処理を行った後、これらの処理後のアナログの音声信号を増幅してスピーカ１８に出力する。スピーカ１８は、音声信号処理回路１６により処理された後のアナログの音声信号に基づく音声を出力する。
【００２５】
映像音声切替ＳＷ１９は、ＣＰＵ１１からの制御信号に基づいて、Ｃｂ／Ｌ端子１ｄ及びＣｒ／Ｒ端子１ｅが、映像信号処理回路１３に接続される状態と、音声信号処理回路１６に接続される状態のいずれかの状態になるように、Ｃｂ／Ｌ端子１ｄ及びＣｒ／Ｒ端子１ｅから入力された信号の経路を切り替える。また、ＨＤＭＩレシーバ２０は、ＨＤＭＩ端子１ａを介して入力されたＨＤＭＩ信号を受信して映像信号や音声信号に復号する。なお、パソコン側がＤＶＩ端子を有しており、パソコン側の映像信号出力用のＤＶＩ端子とＨＤＭＩ端子１ａとを介してＨＤＭＩレシーバ２０に映像信号に基づくＨＤＭＩ信号のみが入力される場合は、ＨＤＭＩレシーバ２０は、受信したＨＤＭＩ信号を映像信号に復号する（音声信号には復号しない）。
【００２６】
次に、図３のフローチャートを参照して、上記のＣＰＵ１１と映像音声切替ＳＷ１９により行われる信号の経路の切替処理について説明する。ＣＰＵ１１は、Ｙ／ＣＶＢＳ端子１ｃにカラーバースト信号を含む信号が入力されると（Ｓ１でＹＥＳ）、コンポジット映像信号が入力されたと検知して、映像音声切替ＳＷ１９により、Ｃｂ／Ｌ端子１ｄ及びＣｒ／Ｒ端子１ｅから入力された信号を音声信号処理回路１６に送るように信号の経路を切替える。すなわち、この場合には、Ｙ／ＣＶＢＳ端子１ｃ、Ｃｂ／Ｌ端子１ｄ、Ｃｒ／Ｒ端子１ｅを、それぞれＣＶＢＳ端子（コンポジット映像信号入力用の端子）、Ｌ端子（左の音声信号入力用の端子）、Ｒ端子（右の音声信号入力用の端子）として使用する（Ｓ２）。これに対して、Ｙ／ＣＶＢＳ端子１ｃにカラーバースト信号を含む信号が入力されなくなると（Ｓ１でＮＯ）、ＣＰＵ１１は、コンポジット映像信号が入力されなくなった（コンポーネント映像信号が入力された）と検知して、映像音声切替ＳＷ１９により、Ｃｂ／Ｌ端子１ｄ及びＣｒ／Ｒ端子１ｅから入力された信号を映像信号処理回路１３に送るように信号の経路を切替える。すなわち、この場合には、Ｙ／ＣＶＢＳ端子１ｃ、Ｃｂ／Ｌ端子１ｄ、Ｃｒ／Ｒ端子１ｅを、それぞれＹ端子（コンポーネント映像信号に含まれる輝度信号入力用の端子）、Ｃｂ端子（コンポーネント映像信号に含まれる青の色差信号入力用の端子）、Ｃｒ端子（コンポーネント映像信号に含まれる赤の色差信号入力用の端子）として使用する（Ｓ３）。
【００２７】
上記図３に示される信号の経路の切替処理を行うことにより、本ＴＶ受像機１へのコンポジット映像信号の入力時には、映像信号の入力に使用されていない、コンポーネント映像信号入力用のＣｂ／Ｌ端子１ｄとＣｒ／Ｒ端子１ｅとを、音声信号入力用の端子として使用することができるので、音声信号入力用の端子の数を実質的に増やすことができる。これにより、例えば、図１に示されるように、ＴＶ受像機１を、パソコン２とコンポジット映像信号の出力機器であるＤＶＤプレーヤ３とに同時に接続することができる。具体的には、パソコン２側のＶＧＡ端子２ａとＴＶ受像機１側のＶＧＡ端子１ｂとをケーブル４を介して接続し（或いはパソコン側がＤＶＩ端子を有している場合には、パソコン側のＤＶＩ端子とＴＶ受像機１側のＨＤＭＩ端子１ａとをケーブルを介して接続し）、パソコン２側のＬ端子２ｂとＴＶ受像機１側のＬ端子１ｆとをケーブル５を介して接続し、パソコン２側のＲ端子２ｃとＴＶ受像機１側のＲ端子１ｇとをケーブル６を介して接続することができる。そして、このＴＶ受像機１とパソコン２との接続状態を維持したままで、ＤＶＤプレーヤ３側のＣＶＢＳ端子３ａとＴＶ受像機１側のＹ／ＣＶＢＳ端子１ｃとをケーブル７を介して接続し、ＤＶＤプレーヤ３側のＬ端子３ｂとＴＶ受像機１側のＣｂ／Ｌ端子１ｄとをケーブル８を介して接続し、ＤＶＤプレーヤ３側のＲ端子３ｃとＴＶ受像機１側のＣｒ／Ｒ端子１ｅとをケーブル９とを介して接続することができる。
【００２８】
次に、図４を参照して、上記Ｓ１の判定（コンポジット映像信号の入力検知）に用いられるカラーバースト信号について説明する。図４は、カラーテレビの映像信号（コンポジット映像信号）４１における水平帰線消去期間４３の部分を示す。水平帰線消去期間４３のうち、水平同期信号（図中における水平同期パルス４５）より前の部分がフロントポーチ４４であり、水平同期信号より後の部分がバックポーチ４６である。カラーテレビでは、このバックポーチ４６の期間における映像信号に、搬送色信号の位相基準となるカラーバースト信号４２が重畳されている。このカラーバースト信号４２は、色副搬送波と同じ約３．５８ＭＨｚの正弦波であり、ＴＶ受像機１は、カラーバースト信号４２を基準として色信号の位相関係を調整することにより正しい色の再生を行うことができる。
【００２９】
上記のように、本実施形態のＴＶ受像機１によれば、Ｃｂ／Ｌ端子１ｄ及びＣｒ／Ｒ端子１ｅから入力された信号の経路を切り替える映像音声切替ＳＷ１９を設けて、コンポジット映像信号が入力されたことが検知されたときに、コンポーネント映像信号入力用のＣｂ／Ｌ端子１ｄ及びＣｒ／Ｒ端子１ｅから入力された信号を音声信号処理回路１６に送るように、信号の経路を切替えるようにした。これにより、コンポジット映像信号の入力時に、映像信号の入力に使用されていない、コンポーネント映像信号入力用のＣｂ／Ｌ端子１ｄとＣｒ／Ｒ端子１ｅとを、音声信号入力用の端子として使用することができるので、音声信号入力用の端子の数を実質的に増やして、ＴＶ受像機１を、パソコン２とコンポジット映像信号の出力機器であるＤＶＤプレーヤ３とに同時に接続することができる。
【００３０】
また、本ＴＶ受像機１によれば、コンポジット映像信号に必ず含まれるカラーバースト信号に基づいて、コンポジット映像信号の入力を検知するようにしたので、コンポジット映像信号の入力を正確に検知することができる。
【００３１】
さらにまた、本ＴＶ受像機１によれば、Ｙ／ＣＶＢＳ端子１ｃにカラーバースト信号を含む信号が入力されたときに、コンポジット映像信号が入力されたと検知するようにしたので、ＣＶＢＳ端子とＹ端子とを一つの端子にまとめたＹ／ＣＶＢＳ端子１ｃを用いたにも拘らず、このＹ／ＣＶＢＳ端子１ｃへのコンポジット映像信号の入力を正確に検知することができる。また、ＣＶＢＳ端子とＹ端子とを別個に設けた場合と比べて、映像信号入力用の端子の数を減らすことができる。
【００３２】
なお、本発明は、上記実施形態の構成に限られず、発明の趣旨を変更しない範囲で種々の変形が可能である。例えば、上記実施形態では、コンポジット映像信号の出力機器としてＤＶＤプレーヤを接続した場合の例を示したが、コンポジット映像信号の出力機器としてＤＶＤレコーダ、ＢＤレコーダ、ＢＤプレーヤ、ハードディスクレコーダ等を接続してもよい。また、上記の実施形態では、パソコンからの映像信号入力用の端子（請求項におけるパソコン映像信号入力端子）としてＶＧＡ端子、又はＨＤＭＩ端子（パソコン側はＤＶＩ端子）を用いた場合の例を示したが、パソコン映像信号入力端子としてｍｉｎｉ−ＶＧＡ端子を用いてもよい。
【符号の説明】
【００３３】
１    ＴＶ受像機
１ｃ  Ｙ／ＣＶＢＳ端子（Ｙ端子）
１ｄ  Ｃｂ／Ｌ端子（Ｃｂ端子）
１ｅ  Ｃｒ／Ｒ端子（Ｃｒ端子）
１ｂ  ＶＧＡ端子（パソコン映像信号入力端子）
１ｆ  Ｌ端子
１ｇ  Ｒ端子
１１  ＣＰＵ（コンポジット映像信号検知手段、切替制御手段）
１３  映像信号処理回路（映像信号処理手段）
１５  液晶表示パネル（表示手段）
１６  音声信号処理回路（音声信号処理手段）
１８  スピーカ（音声出力手段）
４２  カラーバースト信号
【図１】
2012114741.tif 000003
【図２】
2012114741.tif 000004
【図３】
2012114741.tif 000005
【図４】
2012114741.tif 000006
【図５】
2012114741.tif 000007